【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
圧縮機の起動で、冷蔵室用蒸発器と冷凍室用蒸発器とを順次に運転させるＲＦサイクル運転、又は前記冷凍室用蒸発器のみを運転させるＦサイクル運転を行って冷蔵室及び冷凍室を冷却運転させる冷蔵庫の運転制御方法において、
（ａ）前記圧縮機の起動が始まる起動スタート段階と、
（ｂ）前記圧縮機起動の後、前記冷凍室又は冷蔵室の温度に従って前記ＲＦサイクル運転又は前記Ｆサイクル運転を行う継続起動段階と、
（ｃ）前記冷凍室の温度及び前記冷蔵室の温度が各室の設定温度範囲内になると、前記圧縮機の起動を停止させる起動停止段階とが備えられ、
一連のサイクルを成して繰り返して行われることを特徴とする冷蔵庫の運転制御方法。
【請求項２】
前記（ａ）段階は、
前記冷凍室の温度がその室に決められた設定温度範囲の上限値を超える時、前記圧縮機の起動が始まる段階であることを特徴とする請求項１記載の冷蔵庫の運転制御方法。
【請求項３】
前記（ａ）段階は、
前記冷凍室と前記冷蔵室のうち何れかの室の温度がその室に決められた設定温度範囲の上限値を超える時、前記圧縮機の起動が始まる段階であることを特徴とする請求項１記載の冷蔵庫の運転制御方法。
【請求項４】
前記冷蔵室が複数個からなる場合、既設定された少なくとも一つ以上の冷蔵室と前記冷凍室のうち何れかの室の温度がその室に決められた設定温度範囲の上限値を超える時、前記圧縮機の起動が始まることを特徴とする請求項３記載の冷蔵庫の運転制御方法。
【請求項５】
前記既設定された少なくとも一つ以上の冷蔵室は、食品保管の特性上他の冷蔵室より温度の変化が大きいことを特徴とする請求項４記載の冷蔵庫の運転制御方法。
【請求項６】
前記（ｂ）段階は、
前記冷凍室温度及び前記冷蔵室温度が各室の設定温度範囲の上限値を超えると、前記ＲＦサイクル運転を行う第１段階と、
前記冷蔵室温度が冷蔵室の設定温度範囲内になり、前記冷凍室温度が冷凍室の設定温度範囲の上限値を超えると、前記Ｆサイクル運転を行う第２段階と、
前記冷凍室温度が冷凍室の設定温度範囲内になり、前記冷蔵室の温度が冷蔵室の設定温度範囲の上限値を超えると、ＲＦサイクル運転を行う第３段階と
が備えられて選択的に行われることを特徴とする請求項１記載の冷蔵庫の運転制御方法。
【請求項７】
前記第３段階には、
前記冷凍室の温度が設定温度範囲に維持されるよう、前記冷凍室用蒸発器側に備えられた冷凍室用蒸発器ファンの駆動を停止させ、冷凍室用蒸発器の熱交換を抑制させる熱交換抑制段階が更に備えられて行われることを特徴とする請求項６記載の冷蔵庫の運転制御方法。
【請求項８】
前記（ｂ）段階は、
前記冷凍室温度及び前記冷蔵室温度が各室の設定温度範囲の上限値を超えると、前記ＲＦサイクル運転を行うＲＦ運転段階と、
前記冷蔵室温度が冷蔵室の設定温度範囲内になり、前記冷凍室温度が冷凍室の設定温度範囲の上限値を超えると、前記Ｆサイクル運転を行うＦ運転段階と、
前記冷凍室温度が冷凍室の設定温度範囲内になり、前記冷蔵室温度が冷蔵室の設定温度範囲の上限値を超えても、Ｆサイクル運転を続けて行うＦ継続運転段階と
からなることを特徴とする請求項１記載の冷蔵庫の運転制御方法。
【請求項９】
前記Ｆ継続運転段階には、
前記冷蔵室温度が冷蔵室の設定温度範囲に存在するように、前記冷蔵室用蒸発器側に備えられた冷蔵室用蒸発器ファンを、前記Ｆサイクル運転と共に駆動させる段階が更に備えられることを特徴とする請求項８記載の冷蔵庫の運転制御方法。
【請求項１０】
前記（ｃ）段階は、
前記冷蔵室が複数個からなる場合、全冷蔵室の温度及び前記冷凍室の温度が全て各室の設定温度範囲に至る時、前記圧縮機の起動を停止させることを特徴とする請求項１記載の冷蔵庫の運転制御方法。
【請求項１１】
（ｄ）段階として、前記（ｂ）段階の実行中、内部及び外部負荷の影響で変化する前記冷蔵室の温度が多段に制御されるよう、前記冷蔵室の設定温度範囲を多段に設定して、前記ＲＦサイクル運転が終了した状態で冷蔵室用蒸発器ファンのみを駆動させたり、前記ＲＦサイクル運転を再実行させる多段負荷対応段階が更に備えられてなることを特徴とする請求項１記載の冷蔵庫の運転制御方法。
【請求項１２】
前記（ｄ）段階は、
前記ＲＦサイクル運転が終了した後、前記内部及び外部負荷に従って前記冷蔵室の温度が第１設定温度範囲の上限値を超える場合、前記冷蔵室用蒸発器側に備えられた冷蔵室用蒸発器ファンを駆動させる１段負荷対応段階と、
前記ＲＦサイクル運転が終了した後、前記内部及び外部負荷に従って前記冷蔵室の温度が前記第１設定温度範囲の上限値より大きい第２設定温度範囲の上限値を超える場合、前記冷蔵室用蒸発器に冷媒が流れるように、前記ＲＦサイクル運転を行わせる２段負荷対応段階からなることを特徴とする請求項１１記載の冷蔵庫の運転制御方法。
【請求項１３】
前記１段負荷対応段階は、
前記冷蔵室の温度が前記第１設定温度範囲の上限値を超える時から前記第２設定温度範囲の上限値に至る時まで前記冷蔵室用蒸発器ファンを駆動させる段階と、
前記冷蔵室の温度が前記第１設定温度範囲を満足する場合、前記冷蔵室用蒸発器ファンの駆動を停止させる段階と
からなることを特徴とする請求項１２記載の冷蔵庫の運転制御方法。
【請求項１４】
前記２段負荷対応段階は、
前記冷蔵室の温度が前記第２設定温度範囲の上限値を超える場合、前記ＲＦサイクル運転を行わせると共に、前記冷蔵室用蒸発器ファンを駆動させる段階と、
前記冷蔵室の温度が第１設定温度範囲を満足する場合、前記ＲＦサイクル運転を終了させると共に、前記冷蔵室用蒸発器ファンの駆動を停止させる段階と
からなることを特徴とする請求項１２記載の冷蔵庫の運転制御方法。
【請求項１５】
前記第２設定温度範囲の上限値は前記第１設定温度範囲の上限値より大きい値であり、前記第２設定温度範囲の下限値は前記第１設定温度範囲の下限値と同一な値であることを特徴とする請求項１２記載の冷蔵庫の運転制御方法。
【請求項１６】
（ｅ）前記（ａ），（ｂ），（ｃ）段階が一連のサイクルで繰り返して行われる中、前記冷蔵室に備えられた熟成ヒータによる熟成モードの運転時、
前記冷凍室及び前記冷蔵室の各温度が各室に既設定された食品の熟成温度より小さくなる場合に前記圧縮機の起動を停止させ、少なくともある一室の温度がその室に既設定された食品の熟成温度より大きくなる場合は前記圧縮機を起動させる段階が更に含まれてなることを特徴とする請求項１記載の冷蔵庫の運転制御方法。
【請求項１７】
前記冷蔵室が複数個からなる場合、前記冷凍室及び前記複数個の冷蔵室の各温度が各室に既設定された食品の熟成温度より全て小さくなる場合に前記圧縮機の起動を停止させ、少なくともある一室の温度がその室に既設定された熟成温度より大きくなる場合は前記圧縮機を起動させることを特徴とする請求項１６記載の冷蔵庫の運転制御方法。
【請求項１８】
前記熟成モード運転が終了する前所定時間の間前記Ｆサイクル運転を行って、前記冷凍室を予め冷却させる第１プリクール段階と、
前記熟成モード運転の終了時、前記冷蔵室と前記冷凍室とが同時に冷却されるように前記ＲＦサイクル運転を行わせる第２プリクール段階と
か更に備えられてなることを特徴とする請求項１６記載の冷蔵庫の運転制御方法。
【請求項１９】
前記第１プリクール段階の所定時間は、
前記熟成モード運転が終了して前記ＲＦサイクル運転が行われる時、前記冷凍室用蒸発器内の冷媒が前記冷凍室内の空気と熱交換しても、冷凍室の温度が設定温度範囲内にあるように計算した時間であって、冷蔵庫の容量に従い可変となる時間であることを特徴とする請求項１８記載の冷蔵庫の運転制御方法。
【請求項２０】
前記第２プリクール段階には、
前記熟成モード運転の終了時一定時間の間、冷凍室用蒸発器側に備えられた冷凍室用蒸発器ファンの駆動を停止させる段階が更に備えられることを特徴とする請求項１８記載の冷蔵庫の運転制御方法。
【請求項２１】
前記一定時間は、
前記熟成モード運転の終了時点から前記冷蔵室の温度が食品を冷蔵保管するに適した設定温度範囲に至る時点までの時間であることを特徴とする請求項２０記載の冷蔵庫の運転制御方法。